【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
処理情報を含む制限情報を取得する制限情報取得手段と、
ジョブに基づいて印刷処理を実行する印刷処理実行手段と、
前記ジョブに関する履歴情報の保持に関する所定の条件が満たされているか否かを判断する判断手段と、
前記判断手段が前記所定の条件が満たされていると判断すると、前記履歴情報を記憶手段に記憶する記憶制御手段と、
前記判断手段が前記所定の条件が満たされていないと判断すると、前記制限情報に含まれる前記処理情報に基づき処理を実行する処理手段と、
を有することを特徴とする印刷処理実行装置。
【請求項２】
前記制限情報には、履歴情報保持条件が更に含まれ、
前記判断手段は、前記ジョブが前記制限情報に含まれる履歴情報保持条件をみたす場合に、前記ジョブに関する履歴情報の保持に関する所定の条件が満たされているか否かを判断することを特徴とする請求項１に記載の印刷処理実行装置。
【請求項３】
前記制限情報には、処理情報が複数、含まれ、
前記判断手段が前記所定の条件が満たされていないと判断すると、前記処理手段は、前記判断手段が前記所定の条件が満たされていると判断するまで、前記制限情報に含まれる、複数の処理情報に基づき、処理を段階的に実行することを特徴とする請求項１又は２に記載の印刷処理実行装置。
【請求項４】
前記処理手段は、前記処理情報が印刷禁止を示している場合、前記印刷処理実行手段における印刷処理の実行を禁止することを特徴とする請求項１乃至３の何れか１項に記載の印刷処理実行装置。
【請求項５】
前記制限情報を設定する制限情報設定手段を更に有することを特徴とする請求項１乃至４の何れか１項に記載の印刷処理実行装置。
【請求項６】
履歴情報の保持に関する所定の条件が満たされていない場合に印刷処理実行装置が実行する処理を記述する処理情報を含む制限情報を設定する制限情報設定手段と、
前記制限情報設定手段が設定した前記制限情報を記憶手段に記憶する記憶制御手段と、
前記記憶手段に記憶された前記制限情報を、ネットワークを介して通信可能な情報処理装置に送信する送信手段と、
を有することを特徴とする制限情報発行装置。
【請求項７】
履歴情報の保持に関する所定の条件が満たされていない場合に印刷処理実行装置が実行する処理を記述する処理情報を含む制限情報を、ネットワークを介して通信可能な制限情報発行装置より受信する受信手段と、
前記受信手段が受信した前記制限情報と、印刷データと、を含むジョブを生成するジョブ生成手段と、
前記ジョブ生成手段が生成したジョブを、ネットワークを介して通信可能な印刷処理実行装置に送信する送信手段と、
を有することを特徴とする情報処理装置。
【請求項８】
印刷処理実行装置が実行する履歴情報処理方法であって、
処理情報を含む制限情報を取得する制限情報取得ステップと、
ジョブに基づいて印刷処理を実行する印刷処理実行ステップと、
前記ジョブに関する履歴情報の保持に関する所定の条件が満たされているか否かを判断する判断ステップと、
前記判断ステップにおいて前記所定の条件が満たされていると判断されると、前記履歴情報を記憶手段に記憶する記憶制御ステップと、
前記判断ステップにおいて前記所定の条件が満たされていないと判断されると、前記制限情報に含まれる前記処理情報に基づき処理を実行する処理ステップと、
を有することを特徴とする履歴情報処理方法。
【請求項９】
前記制限情報には、履歴情報保持条件が更に含まれ、
前記判断ステップでは、前記ジョブが前記制限情報に含まれる履歴情報保持条件をみたす場合に、前記ジョブに関する履歴情報の保持に関する所定の条件が満たされているか否かを判断することを特徴とする請求項８に記載の履歴情報処理方法。
【請求項１０】
前記制限情報には、処理情報が複数、含まれ、
前記判断ステップにおいて前記所定の条件が満たされていないと判断されると、前記処理ステップでは、前記判断ステップにおいて前記所定の条件が満たされていると判断されるまで、前記制限情報に含まれる、複数の処理情報に基づき、処理を段階的に実行することを特徴とする請求項８又は９に記載の履歴情報処理方法。
【請求項１１】
前記処理ステップでは、前記処理情報が印刷禁止を示している場合、前記印刷処理実行ステップにおける印刷処理の実行を禁止することを特徴とする請求項８乃至１０の何れか１項に記載の履歴情報処理方法。
【請求項１２】
前記制限情報を設定する制限情報設定ステップを更に有し、
前記制限情報取得ステップでは、前記制限情報設定ステップで設定された前記制限情報を取得することを特徴とする請求項８乃至１１の何れか１項に記載の履歴情報処理方法。
【請求項１３】
制限情報発行装置が実行する制限情報発行方法であって、
履歴情報の保持に関する所定の条件が満たされていない場合に印刷処理実行装置が実行する処理を記述する処理情報を含む制限情報を設定する制限情報設定ステップと、
前記制限情報設定ステップにおいて設定された前記制限情報を記憶手段に記憶する記憶制御ステップと、
前記記憶手段に記憶された前記制限情報を、ネットワークを介して通信可能な情報処理装置に送信する送信ステップと、
を有することを特徴とする制限情報発行方法。
【請求項１４】
情報処理装置が実行する情報処理方法であって、
履歴情報の保持に関する所定の条件が満たされていない場合に印刷処理実行装置が実行する処理を記述する処理情報を含む制限情報を、ネットワークを介して通信可能な制限情報発行装置より受信する受信ステップと、
前記受信ステップにおいて受信された前記制限情報と、印刷データと、を含むジョブを生成するジョブ生成ステップと、
前記ジョブ生成ステップにおいて生成されたジョブを、ネットワークを介して通信可能な印刷処理実行装置に送信する送信ステップと、
を有することを特徴とする情報処理方法。
【請求項１５】
請求項８乃至１２の何れか１項に記載の履歴情報処理方法の各ステップをコンピュータに実行させることを特徴とするプログラム。
【請求項１６】
請求項１３に記載の制限情報発行方法の各ステップをコンピュータに実行させることを特徴とするプログラム。
【請求項１７】
請求項１４に記載の情報処理方法の各ステップをコンピュータに実行させることを特徴とするプログラム。
【請求項１８】
請求項１５乃至１７の何れか１項に記載のプログラムを記録したコンピュータ読み取り可能な記録媒体。
【手続補正２】
【補正対象書類名】明細書
【補正対象項目名】００１１
【補正方法】変更
【補正の内容】
【００１１】
そこで、本発明の印刷処理実行装置は、処理情報を含む制限情報を取得する制限情報取得手段と、ジョブに基づいて印刷処理を実行する印刷処理実行手段と、前記ジョブに関する履歴情報の保持に関する所定の条件が満たされているか否かを判断する判断手段と、前記判断手段が前記所定の条件が満たされていると判断すると、前記履歴情報を記憶手段に記憶する記憶制御手段と、前記判断手段が前記所定の条件が満たされていないと判断すると、前記制限情報に含まれる前記処理情報に基づき処理を実行する処理手段と、を有することを特徴とする印刷処理実行装置。
【手続補正３】
【補正対象書類名】明細書
【補正対象項目名】００１２
【補正方法】変更
【補正の内容】
【００１２】
また、本発明の制限情報発行装置は、履歴情報の保持に関する所定の条件が満たされていない場合に印刷処理実行装置が実行する処理を記述する処理情報を含む制限情報を設定する制限情報設定手段と、前記制限情報設定手段が設定した前記制限情報を記憶手段に記憶する記憶制御手段と、前記記憶手段に記憶された前記制限情報を、ネットワークを介して通信可能な情報処理装置に送信する送信手段と、を有することを特徴とする。
【手続補正４】
【補正対象書類名】明細書
【補正対象項目名】００１３
【補正方法】変更
【補正の内容】
【００１３】
また、本発明の情報処理装置は、履歴情報の保持に関する所定の条件が満たされていない場合に印刷処理実行装置が実行する処理を記述する処理情報を含む制限情報を、ネットワークを介して通信可能な制限情報発行装置より受信する受信手段と、前記受信手段が受信した前記制限情報と、印刷データと、を含むジョブを生成するジョブ生成手段と、前記ジョブ生成手段が生成したジョブを、ネットワークを介して通信可能な印刷処理実行装置に送信する送信手段と、を有することを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】